(57)【要約】【課題】照明システムにおいて、人の移動先での長時間の移動停止を別の人に認識しやすくすることである。【解決手段】照明システムは、照明エリアに配置される第１照明器具３３及び第２照明器具５１と制御部とを含む。第１照明器具は、送信タグ６０からの信号を受信する第１受信部に制御部を介して接続されるとともに、第１照明灯３５を有する。第２照明器具は、送信タグからの信号を受信する第２受信部に制御部を介して接続されるとともに、第２照明灯５２を有する。制御部は、第１受信部が送信タグからの信号を受信することにより第１照明灯を点灯させた後、第２受信部が送信タグからの信号を受信することにより第２照明灯を点灯させ、第２照明灯が点灯状態になってから所定時間が経過した場合であって、第１受信部が送信タグからの信号を受信しない場合には、異常発生を報知させる。【選択図】図２
2019071258.tif 000002
【特許請求の範囲】
【請求項１】
照明エリアに配置される第１照明器具及び第２照明器具と、前記第１照明器具及び前記第２照明器具を制御する制御部とを備え、
前記第１照明器具は、送信タグからの信号を受信する第１受信部に前記制御部を介して接続されるとともに、第１照明灯を有し、
前記第２照明器具は、前記送信タグからの信号を受信する第２受信部に前記制御部を介して接続されるとともに、第２照明灯を有し、
前記制御部は、前記第１受信部が前記送信タグからの信号を受信することにより前記第１照明灯を点灯させた後、前記第２受信部が前記送信タグからの信号を受信することにより前記第２照明灯を点灯させ、前記第２照明灯が点灯状態になってから所定時間が経過した場合であって、前記第１受信部が前記送信タグからの信号を受信しない場合には、異常発生を報知させる、照明システム。
【請求項２】
請求項１に記載の照明システムにおいて、
前記照明エリアに配置される中間照明器具を備え、
前記制御部は、前記第１照明器具、前記第２照明器具、及び前記中間照明器具を制御し、
前記中間照明器具は、前記送信タグからの信号を受信する中間受信部に前記制御部を介して接続されるとともに、中間照明灯を有し、
前記制御部は、前記第１受信部が前記送信タグからの信号を受信することにより前記第１照明灯を点灯させ、その後、前記中間受信部が前記送信タグからの信号を受信することにより前記中間照明灯を点灯させた後、前記第２受信部が前記送信タグからの信号を受信することにより前記第２照明灯を点灯させ、前記第２照明灯が点灯状態になってから前記所定時間が経過した場合であって、前記第１受信部及び前記中間受信部のいずれも前記送信タグからの信号を受信しない場合には、前記異常発生を報知させる、照明システム。
【請求項３】
前記制御部は、前記第１照明灯を、色及び輝度の少なくとも一方において通常の点灯とは異なる状態での点灯または点滅をさせることにより、前記異常発生を報知させる、請求項１または請求項２に記載の照明システム。
【請求項４】
前記制御部は、前記中間受信部または前記第２受信部が前記送信タグからの信号を受信したことに応じて、前記第１照明灯を消灯させる、請求項２に記載の照明システム。
【請求項５】
前記制御部は、管理室に配置された警報器により警報を発生させるとともに、前記第２受信部で受信した前記送信タグのタグ識別情報に対応する情報を、前記管理室に配置された表示部に表示させることにより、前記異常発生を報知させる、請求項１または請求項２に記載の照明システム。
【請求項６】
前記制御部は、管理室に配置された警報器により警報を発生させるとともに、前記管理室に配置された表示部に、前記第２照明器具の設置場所情報と、前記第２受信部で受信した前記送信タグを携帯する使用者の使用者情報とを表示させることにより、前記異常発生を報知させる、請求項１または請求項２記載の照明システム。
【請求項７】
前記送信タグは、タグ識別情報を記録しており、
前記制御部は、前記送信タグから送信された前記タグ識別情報に基づいて前記異常発生を報知させるか否かの判別に用いられる報知要否判別フラグをたてる、請求項１または請求項２に記載の照明システム。
【請求項８】
前記送信タグは、前記送信タグを携帯する使用者の使用者識別情報を送信可能であり、
前記制御部は、記憶部に接続された演算処理部を含み、
前記記憶部には、前記使用者識別情報に基づいて使用者を分類可能な分類情報が格納されており、
前記制御部は、前記送信タグから送信された前記タグ識別情報及び前記使用者識別情報と、前記分類情報とに基づいて前記報知要否判別フラグをたてる、請求項７に記載の照明システム。
【発明の詳細な説明】
【技術分野】
【０００１】
本開示は、照明システムに関する。
【背景技術】
【０００２】
従来から、介護施設、病院、倉庫などの人または物の管理を必要とする管理施設の建物内において、人が存在する部分だけ照明を行うことで省エネルギー化を図る照明装置が提案されている。一方、特許文献１には、複数の情報読取装置が、使用者に携帯された情報記憶部であるＩＣタグに記憶された使用者情報を読み取り、その情報に応じて照明器具を制御することが記載されている。この使用者情報は、使用者の属性と使用者の位置とを含んでいる。使用者の現在位置が変化したときには使用者情報を読み取る情報読み取り装置が変わって、照明器具の制御内容が変わるとされている。
【０００３】
また、特許文献２には、人が携帯する発信機（送信部）と複数の受信機（受信部）とで人検知部を形成し、人検知部の情報と位置予測手段とによって、人の移動先を予測し、その予測に基づいて照明器具へ指令を出力し、照明器具を点灯させることが記載されている。特許文献２には、人の移動の際に、所定エリアより遠く離れたときにはその所定エリアの照明器具を消灯させることも記載されている。
【先行技術文献】
【特許文献】
【０００４】
【特許文献１】特開２００７−２００７１５号公報
【特許文献２】特開２００９−２５２７２８号公報
【発明の概要】
【発明が解決しようとする課題】
【０００５】
特許文献１及び特許文献２のいずれに記載された構成においても、送信部を携帯した人が移動先で体調不良等の異常発生により移動を長時間停止したままとなる場合に、その移動先から離れた別の人がその異常発生を認識できない可能性がある。また、送信部を携帯した従業員が秘密性の高い部屋に長時間いる場合には、管理者がその状況を認識したい場合がある。これにより、照明システムにおいて、送信部である送信タグを携帯した人の移動先での長時間の移動停止を別の人が認識しやすい構成を提供することが望まれる。
【課題を解決するための手段】
【０００６】
本開示の一態様である照明システムは、照明エリアに配置される第１照明器具及び第２照明器具と、第１照明器具及び第２照明器具を制御する制御部とを備え、第１照明器具は、送信タグからの信号を受信する第１受信部に制御部を介して接続されるとともに、第１照明灯を有し、第２照明器具は、送信タグからの信号を受信する第２受信部に制御部を介して接続されるとともに、第２照明灯を有し、制御部は、第１受信部が送信タグからの信号を受信することにより第１照明灯を点灯させた後、第２受信部が送信タグからの信号を受信することにより第２照明灯を点灯させ、第２照明灯が点灯状態になってから所定時間が経過した場合であって、第１受信部が送信タグからの信号を受信しない場合には、異常発生を報知させる。
【発明の効果】
【０００７】
本開示の一態様である照明システムによれば、送信タグを携帯した人の移動先での長時間の移動停止を別の人が認識しやすくなる。
【図面の簡単な説明】
【０００８】
【図１】実施形態の一例の照明システムを適用する管理施設の平面図である。
【図２】実施形態の一例の照明システムを示す構成図である。
【図３】図１のＡ部を横方向に見た図である。
【図４】実施形態の一例において、第１受信タグの構成図である。
【図５】送信タグの使用者が廊下からトイレ室の個室に移動した場合における通常状態を示している図１のＢ部の拡大相当図である。
【図６】送信タグの使用者が廊下からトイレ室の個室に移動した場合における異常発生状態を示している図１のＢ部の拡大相当図である。
【図７Ａ】実施形態の一例において、第１照明器具、中間照明器具及び第２照明器具を制御する方法において、第１処理及び第２処理への移行方法を示すフローチャートである。
【図７Ｂ】実施形態の一例において、トイレ室の前側の第１照明器具を除いて複数の第１照明器具を制御する第１処理を示すフローチャートである。
【図７Ｃ】実施形態の一例において、トイレ室の前側の第１照明器具、中間照明器具及び第２照明器具を制御する第２処理を示すフローチャートである。
【図８】実施形態の別例の照明システムを構成するトイレ室の前側の第１照明装置、中間照明装置、及び第２照明装置の構成図である。
【発明を実施するための形態】
【０００９】
以下に、図面を参照しながら、本開示に係る照明システムの実施形態を詳細に説明する。以下において複数の実施形態や変形例などが含まれる場合、それらの特徴部分を適宜に組み合わせて用いることは当初から想定されている。以下で説明する形状、個数は、説明のための例示であって、照明システムの使用等に応じて適宜変更することができる。以下では、すべての図面について同様の要素には同一の符号を付して説明する。
【００１０】
図１は、実施形態の一例の照明システムを適用する管理施設の平面図である。まず、管理施設を説明する。管理施設は、例えば養護老人ホーム、介護老人保健施設等の介護施設である。このような管理施設では、要介護者の安全を高めるために要介護者の状態の管理を必要とする場合がある。
【００１１】
図１では、管理施設の１つの居住階を示している。居住階では、要介護者が居住するための複数の居室１１がある。複数の居室１１は、上から見た場合にＬ字形に並んでいる。居住階には、エレベーター（ＥＶ）１２及び階段１３も配置される。居住階には、中央空間１４を囲むように上から見た場合に略矩形の廊下１５が配置される。
【００１２】
居住階において、廊下１５を挟んでエレベーター１２と対向する位置には、管理者が管理処理等の事務処理を行う事務室等の管理室１６がある。管理室１６には、制御部であるホストＰＣ（ホストパーソナルコンピュータ）１７と、ホストＰＣ１７に接続されたディスプレイ等の表示部２０とが配置される。
【００１３】
居住階において、廊下１５の一部と面する位置には、トイレ室２６がある。トイレ室２６には、後述の図５、図６に示すように、洗面所（図示せず）がある通路空間２７と、通路空間２７に面し、便器（図示せず）が配置された複数の個室２８とがある。図１では、破線矢印αにより、居住階の角部に位置する居室１１から要介護者がトイレ室２６に行く場合の進路を示している。さらに、廊下１５の天井部における周方向複数位置には、複数の第１照明装置３０，３１が並ぶように配置される。後述の図５、図６に示すように、トイレ室２６内には、複数の中間照明装置４０及び複数の第２照明装置５０が配置される。実施形態では、廊下１５及びトイレ室２６が照明エリアである。
【００１４】
図２は、実施形態の一例の照明システムを示す構成図である。図３は、図１のＡ部を横方向に見た図である。照明システムは、照明エリアに配置される複数の第１照明装置３０，３１、２つの中間照明装置４０、及び２つの第２照明装置５０と、ホストＰＣ１７とを含んで構成される。複数の第１照明装置３０，３１は、図１に示す廊下１５の天井部に配置される。２つの中間照明装置４０は、後述の図５、図６に示すように、トイレ室２６内の通路空間２７の天井部に配置される。２つの第２照明装置５０は、同じくトイレ室２６内における２つの個室２８のそれぞれの天井部に配置される。
【００１５】
第１照明装置３０，３１は、第１照明灯３４，３５（図２）を有する第１照明器具３２，３３と、第１受信部である第１受信タグ３６，３７とを含む。第１照明器具３２，３３は、後述のホストＰＣ１７により制御される。第１受信タグ３６，３７は、送信タグ６０からの無線信号を受信する。送信タグ６０は、要介護者である使用者７０（図３）のそれぞれが携帯する。第１受信タグ３６，３７は、ホストＰＣ１７を介して第１照明器具３２，３３に接続される。
【００１６】
中間照明装置４０は、中間照明灯４２を有する中間照明器具４１と、中間受信部である中間受信タグ４３とを含む。中間照明器具４１は、ホストＰＣ１７により制御される。中間受信タグ４３は、送信タグ６０からの無線信号を受信する。中間受信タグ４３は、ホストＰＣ１７を介して中間照明器具４１に接続される。
【００１７】
第２照明装置５０は、第２照明灯５２を有する第２照明器具５１と、第２受信部である第２受信タグ５３とを含む。第２照明器具５１は、ホストＰＣ１７により制御される。第２受信タグ５３は、送信タグ６０からの無線信号を受信する。第２受信タグ５３は、ホストＰＣ１７を介して第２照明器具５１に接続される。
【００１８】
上記の各照明器具３２，３３，４１，５１には、ＩＰアドレスが設定されており、後述のホストＰＣ１７が各照明器具３２，３３，４１，５１を特定できるようにしている。
【００１９】
送信タグ６０は、ＲＦタグであり、無線信号を送信する。送信タグ６０は、例えば使用者７０（図３）が携帯する。例えば図３に示すように、送信タグ６０は、使用者７０が履くスリッパ７１に取り付けられる。なお、送信タグ６０は、使用者が携帯する携帯電話に組み込まれてもよい。または、送信タグ６０は、使用者が身に着ける衣服等に取り付けられてもよい。送信タグ６０は、タグ識別情報が記録されることによりそのタグ識別情報を持っており、送信タグ６０が送信する無線信号にはそのタグ識別情報が含まれる。タグ識別情報は、送信タグ６０を特定するために用いられる。
【００２０】
図４は、実施形態の一例において、第１受信タグ３６，３７の構成図である。第１受信タグ３６，３７は、電源部１００に接続された受信回路１０１及び制御部１０２と、制御部１０２に接続された送信回路１０３と、送信回路１０３及び受信回路１０１に接続されたアンテナ１０４とを含む。制御部１０２は、演算処理部（図示せず）と、演算処理部に接続されるメモリ１０２ａと、Ｉ／Ｏインターフェース（図示せず）等を有するマイクロコンピュータによって構成される。中間受信タグ４３及び第２受信タグ５３の構成も、第１受信タグ３６，３７の構成と同様である。
【００２１】
各受信タグ３６，３７，４３，５３の受信部は、受信可能範囲に送信タグ６０が入った場合に送信タグ６０からの無線信号を受信する。図３では、第１照明装置３０，３１の第１受信タグ３６，３７において、送信タグ６０（図２）からの信号を受信可能な受信可能範囲を、破線枠で模式的に示している。後述の図５では、トイレ室の前側の第１照明装置３１、中間照明装置４０、及び第２照明装置５０の受信タグの受信可能範囲を、破線の円で模式的に示している。受信タグの受信可能範囲は、複数の照明装置３０，３１，４０，５０における受信タグで重ならない。
【００２２】
図２に示すように、ホストＰＣ１７は、演算処理部１８と、演算処理部１８に接続されるメモリ等の記憶部１９と、Ｉ／Ｏインターフェース（図示せず）等を含んでおり、演算処理部１８にはディスプレイ等の表示部２０が接続される。ホストＰＣ１７は、記憶部１９に記憶されたプログラム、データ等を読み出して、所定の動作を実行する。ホストＰＣ１７がプログラムを実行することによって、本開示における装置、システム、または方法の主体の機能が実現される。ホストＰＣ１７は、プログラムに従って動作する演算処理部１８を主なハードウェア構成として備える。演算処理部１８は、プログラムを実行することによって機能を実現することができれば、その種類は問わない。演算処理部１８は、半導体集積回路（ＩＣ）、又はＬＳＩ（large scale integration）を含む１つまたは複数の電子回路で構成される。複数の電子回路は、１つのチップに集積されてもよいし、複数のチップに設けられてもよい。複数のチップは１つの装置に集約されていてもよいし、複数の装置に備えられていてもよい。記憶部１９は、例えば演算処理部１８が読み取り可能なＲＯＭ等である。記憶部１９として、光ディスク、ハードディスクドライブなどの非一時的記録媒体が用いられてもよい。ホストＰＣ１７には、記憶部１９として外部記憶装置が接続されてもよい。プログラムは、記録媒体に予め格納されていてもよいし、インターネット等を含む広域通信網を介して記録媒体に供給されてもよい。
【００２３】
図２では、第１照明装置３０，３１、中間照明装置４０、及び第２照明装置５０のそれぞれについて、受信タグ３６，３７，４３，５３とホストＰＣ１７とが有線のケーブルで接続されている。また、照明器具３２，３３，４１，５１とホストＰＣ１７とが有線のケーブルで接続されている。一方、第１照明装置３０，３１、中間照明装置４０、及び第２照明装置５０のそれぞれについて、受信タグ３６，３７，４３，５３及びホストＰＣ１７、照明器具３２，３３，４１，５１及びホストＰＣ１７のそれぞれを無線で接続することもできる。
【００２４】
ホストＰＣ１７は、廊下１５の天井部に配置される複数の第１照明器具３２，３３のうち、トイレ室２６の前側の天井部に配置される第１照明器具３３を除くものについて、「第１の処理」によって、点灯状態を制御する。一方、ホストＰＣ１７は、トイレ室２６の前側の第１照明器具３３と、中間照明器具４１及び第２照明器具５１について、「第２の処理」によって、点灯状態を制御する。
【００２５】
以下、図１、図５、図６、図７Ａ〜７Ｃを用いて「第１処理」及び「第２処理」を具体的に説明する。図１、図２を参照して、ホストＰＣ１７は、トイレ室２６の前側の第１照明器具３３を除いて、複数の第１照明器具３２のいずれか１つに対応する第１受信タグ３６が送信タグ６０から信号を受信した場合に、その第１照明器具３２を点灯させる。また、ホストＰＣ１７は、使用者７０が移動して移動先の近くに位置する次の第１受信タグ３６が、送信タグ６０から信号を受信した場合に次の第１受信タグ３６に対応する第１照明器具３２を点灯させ、前回点灯させた第１照明器具３２を消灯させる。ホストＰＣ１７は、使用者７０の移動に伴って、複数の第１照明器具３２を１つずつ、点灯させた後、次の第１照明器具の点灯に応じて消灯させる。
【００２６】
さらに、ホストＰＣ１７は、トイレ室２６の前側の第１照明装置３１において、第１照明器具３３に対応する第１受信タグ３７（図２）が、送信タグ６０（図２）から信号を受信した場合に、その第１照明器具３３の第１照明灯３５（図２）を点灯させる。また、図５に矢印βで示すように、使用者７０（図３）が移動して廊下１５からトイレ室２６の通路空間２７に移動する場合がある。この場合に、その通路空間２７の天井部に位置する中間照明装置４０において、中間照明器具４１に対応する中間受信タグ４３（図２）が、送信タグ６０から信号を受信した場合に、ホストＰＣ１７はその中間照明器具４１の中間照明灯４２（図２）を点灯させる。また、図５に矢印γで示すように、使用者７０が移動して通路空間２７から個室２８に移動する場合がある。この場合に、その個室２８の天井部に位置する第２照明装置５０において、第２照明器具５１に対応する第２受信タグ５３（図２）が、送信タグ６０から信号を受信した場合に、ホストＰＣ１７はその第２照明器具５１の第２照明灯５２（図２）を点灯させる。図５、図６において、中間照明器具４１及び第２照明器具５１を示す長方形に斜格子部が付されたものは、それらの照明器具４１，５１が点灯状態であることを表している。また、第１照明器具３３、中間照明器具４１及び第２照明器具５１を示す無地の長方形は、それらの照明器具３３，４１，５１が消灯状態であることを表している。一方、個室２８において、使用者７０が体調不良等により動かない場合に、第２照明器具５１の第２照明灯５２が点灯状態になってから所定時間が経過し、かつ、第１受信タグ３７及び中間受信タグ４３のいずれも送信タグ６０からの信号を受信しない場合がある。この場合に、ホストＰＣ１７は、トイレ室２６の前側の第１照明器具３３において、通常の点灯とは異なる状態での点灯または点滅をさせることにより異常発生を報知させる。図６では、第１照明器具３３を示す長方形に砂地を付したものにより、第１照明器具３３が点滅していることを表している。これにより、廊下１５においてトイレ室２６の前側の第１照明器具３３の点灯状態を認識した人がトイレ室２６内での異常発生を認識でき、トイレ室２６に駆けつける等の対応を迅速にとることができる。
【００２７】
図７Ａ〜図７Ｃを用いて、第１照明器具３２，３３、中間照明器具４１及び第２照明器具５１を制御する方法を説明する。図７Ａは、第１照明器具３２，３３、中間照明器具４１及び第２照明器具５１を制御する方法において、第１処理及び第２処理への移行方法を示すフローチャートである。図７Ｂは、トイレ室２６の前側の第１照明器具を除いて複数の第１照明器具３２を制御する第１処理を示すフローチャートである。図７Ｃは、トイレ室２６の前側の第１照明器具３３、中間照明器具４１及び第２照明器具５１を制御する第２処理を示すフローチャートである。
【００２８】
図７ＡのステップＳ１０において、ホストＰＣ１７は、廊下１５の天井部に配置された複数の第１受信タグ３６，３７のいずれか１つが送信タグ６０からの信号を受信したか否かを判定する。複数の第１受信タグ３６，３７のいずれか１つが送信タグ６０からの信号を受信していると判定された場合（ステップＳ１０でＹＥＳの場合）には、ステップＳ１１に進む。このときには、使用者７０が廊下１５に位置する。複数の第１受信タグ３６，３７のいずれか１つが送信タグ６０からの信号を受信していないと判定された場合（ステップＳ１０でＮＯの場合）には、その判定処理が繰り返される。送信タグ６０から第１受信タグに送信される情報には、上記のようにタグ識別情報が含まれる。
【００２９】
ステップＳ１１では、ホストＰＣ１７は、信号を受信した第１受信タグがトイレ室２６の前側の第１受信タグ３７であるか否かを判定する。信号を受信した第１受信タグがトイレ室２６の前側の第１受信タグ３７ではない第１受信タグ３６であると判定された場合（ステップＳ１１でＮＯの場合）には、ステップＳ１２に移行し、図７Ｂに示す第１処理への移行が実行される。
【００３０】
図７Ｂに示す第１処理は、トイレ室２６の前側の第１照明器具３３を除いて複数の第１照明器具３２を制御する。まず、ステップＳ１４において、ステップＳ１０の第１受信タグ３６で受信された送信タグ６０のタグ識別情報が、ホストＰＣ１７に送信される。これにより、ホストＰＣ１７が送信タグ６０を特定できる。
【００３１】
次に、ステップＳ１５において、ホストＰＣ１７は、タグ識別情報と、送信タグ６０の信号を受信した第１受信タグ３６に対応する第１照明器具３２のＩＰアドレスとを、記憶部１９（図２）に記憶させて保持する。また、ホストＰＣ１７は、この第１照明器具３２を「今回照明器具」として点灯し、前回点灯の第１照明器具３２，３３がある場合には前回点灯の第１照明器具３２，３３を、今回照明器具の点灯から所定時間後に消灯する。これにより、送信タグ６０を携帯した使用者７０が移動した場合に、移動先の第１照明器具３２が点灯してから、所定時間後に移動前の近くに位置する第１照明器具３２，３３が消灯するので、使用者の安心感を高くできるとともに、省エネルギー化を図れる。
【００３２】
次に、ステップＳ１６において、ホストＰＣ１７は、今回照明器具に対応する第１受信タグ３６を今回第１受信タグとして、今回第１受信タグが、送信タグ６０からの信号を受信したか否かを判定する。今回第１受信タグが送信タグ６０からの信号を受信したと判定された場合（ステップＳ１６でＹＥＳの場合）には、その判定処理が繰り返される。これにより、今回照明器具の点灯状態が維持される。一方、今回第１受信タグが送信タグ６０からの信号を受信していないと判定された場合（ステップＳ１６でＮＯの場合）には、ステップＳ１７に移行する。
【００３３】
ステップＳ１７では、ホストＰＣ１７は、使用者７０が移動する等により、今回第１受信タグとは別の受信タグである、次の第１受信タグ３６，３７が送信タグ６０からの信号を受信したか否かを判定する。次の第１受信タグ３６，３７が送信タグ６０からの信号を受信したと判定された場合（ステップＳ１７でＹＥＳの場合）には、ステップＳ１８に移行する。一方、次の第１受信タグが送信タグ６０からの信号を受信していないと判定された場合（ステップＳ１７でＮＯの場合）には、ステップＳ２１において、ホストＰＣ１７が今回照明器具を所定時間経過後に消灯し、その後、図７ＡのステップＳ１０の処理に戻る。
【００３４】
ステップＳ１８では、ホストＰＣ１７が、次の第１受信タグ３６，３７がトイレ室の前側の第１受信タグ３７であるか否かを判定する。次の第１受信タグがトイレ室の前側の第１受信タグ３７でないと判定された場合（ステップＳ１８でＮＯの場合）には、ステップＳ１９に移行する。一方、次の第１受信タグがトイレ室の前側の第１受信タグ３７であると判定された場合（ステップＳ１８でＹＥＳの場合）には、図７ＡのステップＳ１０の処理に戻る。
【００３５】
ステップＳ１９では、ホストＰＣ１７は、次の第１受信タグ３６に対応する第１照明器具３２のＩＰアドレスを記憶部１９（図２）に記憶させて保持する。また、ホストＰＣ１７は、「今回照明器具」を「前回照明器具」と変更して設定し、次の第１受信タグ３６に対応する第１照明器具３２を「今回照明器具」と変更して設定して、この今回照明器具を点灯させる。
【００３６】
次に、ステップＳ２０において、ホストＰＣ１７は、前回照明器具を、今回照明器具の点灯から所定時間後に消灯し、ステップＳ１６に戻る。ステップＳ２０での消灯の処理は、ステップＳ１５の場合と同様である。また、ステップＳ１６に戻ることで、設定の変更後の今回照明器具について、ステップＳ１６からステップＳ２０までの処理が繰り返される。
【００３７】
一方、図７ＡのステップＳ１１に戻って、ホストＰＣ１７は、信号を受信した第１受信タグがトイレ室の前側の第１受信タグ３７であると判定された場合（ステップＳ１１でＹＥＳの場合）には、ステップＳ１３に移行する。ステップＳ１３では、図７Ｃに示す第２処理への移行が実行される。
【００３８】
図７Ｃに示す第２処理は、トイレ室の前側の第１照明器具３３と、トイレ室内の中間照明器具４１及び第２照明器具５１を制御する。まず、ステップＳ３１において、図７ＡのステップＳ１０の第１受信タグ３７で受信された送信タグ６０のタグ識別情報が、ホストＰＣ１７に送信される。
【００３９】
次に、ステップＳ３２において、ホストＰＣ１７は、タグ識別情報と、トイレ室の前側の第１照明器具３３のＩＰアドレスとを、記憶部１９（図２）に記憶させて保持する。また、ホストＰＣ１７は、このトイレ室の前側の第１照明器具３３の第１照明灯３５（図２）を点灯させ、前回点灯の第１照明器具３２がある場合には前回点灯の第１照明器具３２を、トイレ室の前側の第１照明器具３３の点灯から所定時間後に消灯する。以下、図７Ｃの説明において、トイレ室２６の前側の第１照明器具３３は、単に「第１照明器具３３」と記載し、この第１照明器具３３に対応する第１受信タグ３７は、単に「第１受信タグ３７」と記載する。
【００４０】
次に、ステップＳ３３において、ホストＰＣ１７は、第１受信タグ３７が送信タグ６０からの信号を受信したか否かを判定する。第１受信タグ３７が送信タグ６０からの信号を受信したと判定された場合（ステップＳ３３でＹＥＳの場合）には、その判定処理が繰り返される。一方、第１受信タグ３７が送信タグ６０からの信号を受信していないと判定された場合（ステップＳ３３でＮＯの場合）には、ステップＳ３４に移行する。
【００４１】
ステップＳ３４では、ホストＰＣ１７は、トイレ室２６内の通路空間２７における中間照明装置４０の中間受信タグ４３（図２）が、送信タグ６０からの信号を受信したか否かを判定する。中間受信タグ４３が送信タグ６０からの信号を受信していないと判定された場合（ステップＳ３４でＮＯの場合）には、図７ＡのステップＳ１０に戻る。一方、ステップＳ３４で中間受信タグ４３が送信タグ６０からの信号を受信していると判定された場合（ステップＳ３４でＹＥＳの場合）には、ステップＳ３６に移行する。
【００４２】
ステップＳ３６では、ホストＰＣ１７が通路空間２７における中間照明器具４１のＩＰアドレスを保持し、この中間照明器具４１の中間照明灯４２（図２）を点灯させる。図５、図６に示す例では、通路空間２７の天井部に中間照明装置４１が入口側（図５、図６の下側）と、入口と反対側（図５、図６の上側）とに２つ配置される。また、それぞれの中間照明装置４０が中間照明器具４１と、中間照明器具４１にホストＰＣ１７（図２）を介して接続される中間受信タグ４３（図２）とを備える。この場合には、２つの中間受信タグ４３のうち、現時点で送信タグ６０から信号を受信している中間受信タグ４３に対応する中間照明器具４１を点灯させる。なお、２つの中間受信タグ４３の１つの中間受信タグ４３が送信タグ６０から信号を受信している場合に、２つの中間照明器具４１の両方を点灯させてもよい。通路空間２７において、中間照明装置を１つのみ、または３つ以上を配置してもよい。
【００４３】
次に、ステップＳ３７において、ホストＰＣ１７は、中間照明器具４１の点灯から所定時間経過後に第１照明器具３３を消灯し、時間計測部である第１タイマーをオンする。次に、ステップＳ３８において、ホストＰＣ１７は、中間受信タグ４３（図２）が送信タグ６０からの信号を受信しているか否かを判定する。中間受信タグ４３が送信タグ６０からの信号を受信していると判定された場合（ステップＳ３８でＹＥＳの場合）には、ステップＳ３９においてホストＰＣ１７は、タイマーの計測時間が予め設定した所定時間内か否かを判定する。タイマーは、第１タイマーまたは後述の第２タイマーである。タイマーの計測時間が所定時間内であると判定された場合（ステップＳ３８でＹＥＳの場合）には、ステップＳ４０において、そのタイマーが第１タイマーであるか否かが判定される。タイマーが第１タイマーであると判定された場合（ステップＳ４０でＹＥＳの場合）には、ステップＳ３８に戻る。ステップＳ４０において、タイマーが第１タイマーでない、すなわち第２タイマーであると判定された場合（ステップＳ４０でＮＯの場合）には、後述のステップＳ５３に進む。
【００４４】
一方、ステップＳ３９において、タイマーの計測時間が所定時間を超えたと判定された場合（ステップＳ３９でＮＯの場合）には、ステップＳ４１において、ホストＰＣ１７に接続された表示部２０（図２）において、異常が発生したことを通知する。次に、ステップＳ４２において、ホストＰＣ１７は、第１照明器具３３の第１照明灯３５（図２）を点滅させることにより、異常発生を報知させる。このとき、ホストＰＣ１７は、第１照明灯３５を、色及び輝度の少なくとも一方において通常の点灯とは異なる状態での点灯をさせることにより、異常発生を報知させてもよい。
【００４５】
これにより、ホストＰＣ１７は、中間照明灯４２（図２）が点灯状態になってから所定時間が経過した場合であって、第１受信タグ３７（図２）が送信タグ６０からの信号を受信しない場合には、異常発生を報知させる。
【００４６】
一方、ステップＳ３８に戻って、中間受信タグ４３（図２）が送信タグ６０からの信号を受信していないと判定された場合（ステップＳ３８でＮＯの場合）には、ステップＳ５０に移行する。ステップＳ５０において、ホストＰＣ１７は、トイレ室２６の個室２８の天井部における第２受信タグ５３（図２）が送信タグ６０からの信号を受信したか否かを判定する。このとき、図５、図６に示すように、トイレ室２６の２つの個室２８のそれぞれの天井部に２つの第２照明装置５０が配置される。また、それぞれの第２照明装置５０が第２照明器具５１と、第２照明器具５１にホストＰＣ１７を介して接続される第２受信タグ５３とを備える。この場合には、２つの第２受信タグ５３のいずれかの第２受信タグ５３が送信タグ６０からの信号を受信したか否かが判定される。第２受信タグ５３が送信タグ６０からの信号を受信したと判定された場合（ステップＳ５０でＹＥＳの場合）には、ステップＳ５１に進む。
【００４７】
ステップＳ５１では、ホストＰＣ１７が送信タグ６０の信号を受信した第２受信タグ５３に対応する第２照明器具５１のＩＰアドレスを、記憶部１９（図２）に記憶させて保持し、この第２照明器具５１の第２照明灯５２（図２）を点灯させる。次に、ステップＳ５２において時間計測部である第２タイマーをオンさせる。
【００４８】
次に、ステップＳ５３において、ホストＰＣ１７は、第２受信タグ５３が送信タグ６０からの信号を受信しているか否かを判定する。第２受信タグ５３が送信タグ６０からの信号を受信していると判定された場合（ステップＳ５３でＹＥＳの場合）には、ステップＳ３９に戻る。このとき、Ｓ３９において、第２タイマーの計測時間が所定時間内であるか否かが判定され、所定時間内でないと判定された場合には、上記と同様に、表示部２０（図２）で異常発生が通知され（Ｓ４１）、第１照明器具３３で異常発生が報知される（Ｓ４２）。具体的には、ホストＰＣ１７は、第１照明器具３３の第１照明灯３５（図２）を点滅させることにより、異常発生を報知させる。このとき、ホストＰＣ１７は、第１照明灯３５を、色及び輝度の少なくとも一方において通常の点灯とは異なる状態での点灯をさせることにより、異常発生を報知させてもよい。
【００４９】
これにより、ホストＰＣ１７は、第２照明灯５２（図２）が点灯状態になってから所定時間が経過した場合であって、第１受信タグ３７及び中間受信タグ４３のいずれもが送信タグ６０からの信号を受信しない場合には、異常発生を報知させる。したがって、異常発生により、使用者７０の移動先である個室２８での長時間の移動停止があった場合に、その個室２８から大きく離れた別の人が、トイレ室２６の前側の第１照明灯３５（図２）を認識することにより、その異常発生を認識しやすくなる。この結果、異常発生に対応しやすくなり、使用者７０の安全性を高めることができる。例えば、送信タグ６０を携帯する使用者７０が、個室２８内で困難な状況に置かれていることを予測でき、別の人が即座に対応しやすくなる。これにより、使用者７０の安全性を高くできる。
【００５０】
また、この場合には、中間照明器具４１と第２照明器具５１とが点灯状態にあるので、別の人がトイレ室２６内に駆けつける場合に、利便性を高くできる。このとき、廊下１５においてトイレ室２６の前側に配置された第１照明器具３３が点灯状態または点滅状態であれば、別の人が駆けつけるべき場所が明確となり、迅速な対応をとりやすい。また、送信タグ６０を持たない人がトイレ室２６に駆けつける場合でも、第１照明器具３３が点灯状態または点滅状態であるので、迅速な対応をとりやすい。
【００５１】
さらに、ホストＰＣ１７は、中間受信タグ４３が送信タグ６０からの信号を受信したことに応じて、第１照明灯３５を消灯させるので、使用者７０の安心感を高めることができるとともに、省エネルギー化を図れる。なお、ホストＰＣ１７は、第２受信タグ５３が送信タグ６０からの信号を受信したことに応じて、第１照明灯３５を消灯させてもよい。
【００５２】
また、上記では、トイレ室２６内の通路空間２７の天井部に中間照明器具４１を配置し、個室２８の天井部に第２照明器具５１を配置しているが、中間照明器具及び第２照明器具を、１つまたは同時に点灯する複数の第２照明器具としてもよい。このとき、ホストＰＣ１７は、トイレ室の前側の第１照明灯３５を点灯させた後、第２受信タグが送信タグ６０からの信号を受信することにより第２照明器具の第２照明灯を点灯させる。また、ホストＰＣ１７は、第２照明灯が点灯状態になってから使用者７０がトイレ室２６から動かない等により所定時間が経過した場合であって、トイレ室の前側の第１受信タグ３７が送信タグ６０からの信号を受信しない場合には、トイレ室２６の前側の第１照明器具３３により異常発生を報知させる。これによっても、使用者７０のトイレ室内での長時間の移動停止があった場合に、そのトイレ室から離れた別の人がトイレ室の前側の第１照明灯３５の点灯状態を認識することにより、その異常発生を認識しやすくなる。
【００５３】
また、ホストＰＣ１７は、第１照明灯３５により異常発生を報知させる代わりに、またはこれとともに、管理室１６（図１）に配置された警報器（図示せず）により警報を発生させることにより、異常発生を報知させてもよい。また、ホストＰＣ１７は、管理室１６に配置された警報器により警報を発生させるとともに、第２受信タグで受信した送信タグ６０のタグ識別情報に対応する情報を、管理室１６に配置された表示部２０に表示させることにより、異常発生を報知させてもよい。これによれば、長時間移動を停止した使用者７０を管理室１６内の人が特定しやすくなる。
【００５４】
また、ホストＰＣ１７は、管理室１６に配置された警報器により警報を発生させるとともに、管理室１６に配置された表示部２０に、送信タグ６０からの信号を受信した第２受信タグに対応する第２照明器具の設置場所情報を表示させることにより、異常発生を報知させてもよい。このとき、第２受信タグで受信した情報である、送信タグ６０を携帯する使用者７０の使用者情報も表示部２０に表示させてもよい。これによれば、長時間移動を停止した使用者７０を管理室１６内の人が特定しやすくなるとともに、管理室１６内の人が使用者７０の位置を認識しやすくなる。
【００５５】
また、ホストＰＣ１７は、送信タグ６０から送信されたタグ識別情報に基づいて異常発生を報知させるか否かの判別に用いられる報知要否判別フラグをたてる構成としてもよい。これによれば、送信タグ６０を携帯する使用者７０の健康状態等の特性に応じて、異常発生の報知の必要がある使用者７０についてだけ、トイレ室２６内での長時間の移動停止があった場合に、異常発生を報知させることができる。
【００５６】
また、このとき、送信タグ６０が、使用者７０の使用者識別情報を送信可能であり、ホストＰＣ１７が有する記憶部１９（図２）には、使用者識別情報に基づいて使用者７０を分類可能な分類情報が格納されている構成としてもよい。そして、ホストＰＣ１７は、送信タグ６０から送信されたタグ識別情報及び使用者識別情報と、分類情報とに基づいて報知要否判別フラグをたてる構成としてもよい。これによっても、送信タグ６０を携帯する使用者７０の特性に応じて、異常発生の報知の必要がある使用者７０についてだけ、トイレ室２６内での長時間の移動停止があった場合に、異常発生を報知させることができる。
【００５７】
図８は、実施形態の別例の照明システムを構成するトイレ室２６の前側の第１照明装置３１ａ、中間照明装置４０ａ、及び第２照明装置５０ａの構成図である。図８に示す本例の照明システムは、図１〜図７の構成と異なり、ホストＰＣ１７（図２）を備えていない。その代わりに、本例の構成では、第１照明装置３１ａ、中間照明装置４０ａ、及び第２照明装置５０ａのそれぞれは、受信タグ３７，４３，５３及び照明器具３３，４１，５１に接続されるマイクロコンピュータ３８，４４，５４を備える。制御部は、これらの各マイクロコンピュータ３８，４４，５４により構成される。
【００５８】
そして、複数のマイクロコンピュータ３８，４４，５４は、受信タグ３７，４３，５３が備える送信部及びアンテナを介して、互いに信号を送受信できるように、無線で接続される。このような制御部の構成は、図１〜図７に示した構成において、ホストＰＣ１７の構成要素が分離して無線で接続される構成と同様である。また、制御部の機能は、図１〜図７に示した構成におけるホストＰＣ１７の機能と同様である。その他の構成及び作用は、図１〜図７の構成と同様である。
【００５９】
なお、上記の各例の構成では、受信タグが、天井部に配置される場合を説明したが、受信タグは、床面または床下において対応する照明器具のほぼ真下に位置する部分に配置され、送信タグからの信号を受信する構成としてもよい。また、受信タグは、壁面において対応する照明器具の近くに位置する部分に配置され、送信タグからの信号を受信する構成としてもよい。
【００６０】
また、上記では、照明システムにおいて、介護施設の廊下１５の天井部に第１照明器具を配置し、トイレ室２６内に中間照明器具及び第２照明器具を配置する場合を説明した。一方、照明システムは、介護施設の代わりに病院に適用し、使用者である患者が送信タグ６０を携帯する構成としてもよい。また、照明システムは、倉庫または金庫がある施設、または秘密性の高い部屋のある施設等に適用してもよい。例えば、送信タグ６０を携帯した使用者である作業者が、倉庫内、または秘密性の高い部屋、または金庫の付近の同じ位置に長時間とどまっている場合に、作業者が異常な行動をとっている可能性があることが予想される。この場合には、管理者がその状況を異常が発生した状態として、離れた場所から認識したい場合がある。このような施設に実施形態の照明システムを適用すれば、そのような異常発生状態を離れた場所から認識しやすい。
【符号の説明】
【００６１】
１１  居室、１２  エレベーター、１３  階段、１４  中央空間、１５  廊下、１６  管理室、１７  ホストＰＣ（ホストパーソナルコンピュータ）、１８  演算処理部、１９  記憶部、２０  表示部、２６  トイレ室、２７  通路空間、２８  個室、３０，３１，３１ａ  第１照明装置、３２，３３  第１照明器具、３４，３５  第１照明灯、３６，３７  第１受信タグ、３８  マイクロコンピュータ、４０，４０ａ  中間照明装置、４１  中間照明器具、４２  中間照明灯、４３  中間受信タグ、４４  マイクロコンピュータ、５０，５０ａ  第２照明装置、５１  第２照明器具、５２  第２照明灯、５３  第２受信タグ、５４  マイクロコンピュータ、６０  送信タグ、７０  使用者、７１  スリッパ、１００  電源部、１０１  受信回路、１０２  制御部、１０２ａ  メモリ、１０３  送信回路、１０４  アンテナ。
【図１】
2019071258.tif 000003
【図２】
2019071258.tif 000004
【図３】
2019071258.tif 000005
【図４】
2019071258.tif 000006
【図５】
2019071258.tif 000007
【図６】
2019071258.tif 000008
【図７Ａ】
2019071258.tif 000009
【図７Ｂ】
2019071258.tif 000010
【図７Ｃ】
2019071258.tif 000011
【図８】
2019071258.tif 000012